(57)【要約】【課題】音声情報の所定区間分を周波数特性を変更して出力すること。【解決手段】出力部１０１から音声情報を出力しているときに、設定部１０２によって出力中の音声情報に対する周波数特性の変更の設定を受け付けた場合、抽出部１０３によって、設定を受け付けてからの音声情報の所定区間分を抽出する。そして、制御部１０５によって、出力部１０１を制御して、設定部１０２によって設定された周波数特性と、設定部１０２によって設定される前の周波数特性とに変更して、音声情報の所定区間分を繰り返し出力する。このとき、出力中の音声情報の周波数特性に関する情報を表示してもよい。さらに、受付部１０７によって一の周波数特性の選択を受け付けた場合、一の周波数特性に変更して、音声情報の所定区間より後を出力する。【選択図】図１
2011029791.tif 000002
【特許請求の範囲】
【請求項１】
音声情報を出力部に出力させる音声情報出力装置において、
前記出力部から出力中の前記音声情報に対する周波数特性の変更の設定を受け付ける設定手段と、
前記音声情報の、前記設定手段によって設定を受け付けてから所定区間分を抽出する抽出手段と、
前記出力部を制御して、前記設定手段によって設定された周波数特性と、前記設定手段によって設定される前の周波数特性とに変更して、前記抽出手段によって抽出された前記音声情報の前記所定区間分を繰り返し出力する制御手段と、
を備えることを特徴とする音声情報出力装置。
【請求項２】
前記出力部に出力中の前記音声情報の周波数特性に関する情報を表示する表示手段をさらに備えることを特徴とする請求項１に記載の音声情報出力装置。
【請求項３】
前記制御手段によって繰り返し出力された前記音声情報の前記所定区間分に対する異なる周波数特性のうち、一の周波数特性の選択を受け付ける受付手段をさらに備え、
前記制御手段は、前記受付手段によって前記一の周波数特性が受け付けられた場合、前記音声情報の周波数特性を、受け付けられた前記一の周波数特性に変更して、当該音声情報の前記所定区間より後を出力することを特徴とする請求項１または２に記載の音声情報出力装置。
【請求項４】
前記抽出手段によって抽出された前記音声情報の前記所定区間分を記録する記録手段をさらに備え、
前記制御手段は、前記設定手段によって設定された周波数特性と、前記設定手段によって設定される前の周波数特性とに変更して、前記記録手段に記録された前記音声情報の前記所定区間分を繰り返し出力することを特徴とする請求項１〜３のいずれか一つに記載の音声情報出力装置。
【請求項５】
前記設定手段は、前記出力部から出力中の前記音声情報に対する複数種類の周波数特性の変更の設定を受け付け、
前記制御手段は、前記設定手段によって設定された複数種類の各周波数特性と、前記設定手段によって設定される前の周波数特性とに変更して、前記音声情報の前記所定区間分を繰り返し出力することを特徴とする請求項１〜４のいずれか一つに記載の音声情報出力装置。
【請求項６】
音声情報を出力部に出力させる音声情報出力装置における音声情報出力方法であって、
前記出力部から出力中の前記音声情報に対する周波数特性の変更の設定を受け付ける設定工程と、
前記音声情報の、前記設定工程によって設定を受け付けてから所定区間分を抽出する抽出工程と、
前記出力部を制御して、前記設定工程によって設定された周波数特性と、前記設定工程によって設定される前の周波数特性とに変更して、前記抽出工程によって抽出された前記音声情報の前記所定区間分を繰り返し出力する制御工程と、
を含むことを特徴とする音声情報出力方法。
【請求項７】
請求項６に記載の音声情報出力方法をコンピュータに実行させることを特徴とする音声情報出力プログラム。
【請求項８】
請求項７に記載の音声情報出力プログラムを記録したことを特徴とするコンピュータに読み取り可能な記録媒体。
【発明の詳細な説明】
【技術分野】
【０００１】
この発明は、音声情報の所定区間分を周波数特性を変更して出力する音声情報出力装置、音声情報出力方法、音声情報出力プログラムおよび記録媒体に関する。ただし、この発明の利用は、上述した音声情報出力装置、音声情報出力方法、音声情報出力プログラムおよび記録媒体には限られない。
【背景技術】
【０００２】
従来、外部の操作で設定された音楽ジャンル別のモードに基づき、音楽ジャンルごとに最適周波数特性と音量特性を記憶する記憶手段から、対応する周波数特性と音量特性を選択し、選択された周波数特性および音量特性にしたがって音を再生するオーディオ装置が提案されている（たとえば、下記特許文献１参照。）。このオーディオ装置においては、音楽ジャンルを選択すれば自動的に最適周波数特性に設定されると同時に選択した音楽ジャンルに関係なく一定の音量特性が得られる。
【先行技術文献】
【特許文献】
【０００３】
【特許文献１】特開平７−２８４１８５号公報
【発明の概要】
【発明が解決しようとする課題】
【０００４】
しかしながら、上述した特許文献１の技術では、周波数特性を変更する前に出力する区間と、周波数特性を変更した後に出力する区間とが異なるため、変更前と変更後の周波数特性の違いがわかりにくいという問題がある。このため、利用者は、自身に最適な周波数特性を選ぶことができない。また、特に、楽曲情報内において曲調が変化するタイミングで周波数特性を変更すると、実際の曲調が変化しているため、変更前と変更後の周波数特性の違いがほとんどわからないという問題がある。
【課題を解決するための手段】
【０００５】
上述した課題を解決し、目的を達成するため、請求項１の発明にかかる音声情報出力装置は、音声情報を出力部に出力させる音声情報出力装置において、前記出力部から出力中の前記音声情報に対する周波数特性の変更の設定を受け付ける設定手段と、前記音声情報の、前記設定手段によって設定を受け付けてから所定区間分を抽出する抽出手段と、前記出力部を制御して、前記設定手段によって設定された周波数特性と、前記設定手段によって設定される前の周波数特性とに変更して、前記抽出手段によって抽出された前記音声情報の前記所定区間分を繰り返し出力する制御手段と、を備えることを特徴とする。
【０００６】
また、請求項６の発明にかかる音声情報出力方法は、音声情報を出力部に出力させる音声情報出力装置における音声情報出力方法であって、前記出力部から出力中の前記音声情報に対する周波数特性の変更の設定を受け付ける設定工程と、前記音声情報の、前記設定工程によって設定を受け付けてから所定区間分を抽出する抽出工程と、前記出力部を制御して、前記設定工程によって設定された周波数特性と、前記設定工程によって設定される前の周波数特性とに変更して、前記抽出工程によって抽出された前記音声情報の前記所定区間分を繰り返し出力する制御工程と、を含むことを特徴とする。
【０００７】
また、請求項７の発明にかかる音声情報出力プログラムは、請求項６に記載の音声情報出力方法をコンピュータに実行させることを特徴とする。
【０００８】
また、請求項８の発明にかかる記録媒体は、請求項７に記載の音声情報出力プログラムをコンピュータに読み取り可能な状態で記録したことを特徴とする。
【図面の簡単な説明】
【０００９】
【図１】本実施の形態にかかる音声情報出力装置の機能的構成を示すブロック図である。
【図２】音声情報出力装置の音声情報出力処理手順を示すフローチャートである。
【図３】本実施例にかかるオーディオ装置のハードウェア構成を示すブロック図である。
【図４】オーディオ装置の処理の内容を示すフローチャートである。
【図５】周波数特性の比較処理について示す説明図である。
【発明を実施するための形態】
【００１０】
以下に添付図面を参照して、この発明にかかる音声情報出力装置、音声情報出力方法、音声情報出力プログラムおよび記録媒体の好適な実施の形態を詳細に説明する。
【００１１】
（実施の形態）
（音声情報出力装置の機能的構成）
まず、この発明の実施の形態にかかる音声情報出力装置１００の機能的構成について説明する。図１は、本実施の形態にかかる音声情報出力装置の機能的構成を示すブロック図である。
【００１２】
図１において、音声情報出力装置１００は、出力部１０１と、設定部１０２と、抽出部１０３と、記録部１０４と、制御部１０５と、表示部１０６と、受付部１０７と、を備えている。出力部１０１は、音声情報を出力するスピーカを備えている。
【００１３】
設定部１０２は、出力部１０１から出力中の音声情報に対する周波数特性の変更の設定を受け付ける。設定部１０２は、出力部１０１から出力中の音声情報に対する複数種類の周波数特性の変更の設定を受け付けてもよい。また、設定部１０２は、クラシック、ジャズまたはロックなどのジャンルごとにプリセットされた最適な周波数特性や利用者によってあらかじめ設定された周波数特性から、少なくとも１種類以上の周波数特性の選択を受け付けてもよい。ジャンルごとにプリセットされた最適な周波数特性とは、具体的には、たとえばクラシックの場合、楽器の種類が多く広い周波数域に亘ってフラットな特性であり、ロックの場合、低音域が強調された特性であり、ジャズの場合、低高音域が強調された特性である。さらに、設定部１０２は、周波数特性とともに、周波数特性ごとに最適な音量特性を受け付けてもよい。
【００１４】
抽出部１０３は、音声情報の、設定部１０２によって設定を受け付けてから所定区間分を抽出する。所定区間とは、たとえば、出力中の音声情報の、設定部１０２によって設定を受け付けた時点から数秒後の時点までの区間である。所定区間の長さは、利用者によって設定可能であってもよい。
【００１５】
記録部１０４は、抽出部１０３によって抽出された音声情報の所定区間分を記録する。記録部１０４は、具体的には、たとえば、ラジオ放送やテレビ放送、ストリーミング放送などの同じ部分を繰り返し出力できないソースの場合、設定部１０２によって設定を受け付けた時点から記録を開始し、数秒後の時点で記録を停止するまでの、音声情報の所定区間分を記録する。
【００１６】
制御部１０５は、出力部１０１を制御して、設定部１０２によって設定された周波数特性と、設定部１０２によって設定される前の周波数特性とに変更して、抽出部１０３によって抽出された音声情報の所定区間分を繰り返し出力する。制御部１０５は、設定部１０２によって設定された複数種類の各周波数特性と、設定部１０２によって設定される前の周波数特性とに変更して、音声情報の所定区間分を繰り返し出力してもよい。
【００１７】
また、制御部１０５は、それぞれの周波数特性に変更して所定区間分の音声情報を繰り返し出力する処理を、複数回繰り返してもよい。すなわち、制御部１０５は、まず、設定部１０２によって設定された周波数特性で音声情報の所定区間分を出力し、そして、設定部１０２によって設定される前の周波数特性で音声情報の所定区間分を出力し、つぎに、設定部１０２によって設定された周波数特性で音声情報の所定区間分を出力し、さらに、設定部１０２によって設定される前の周波数特性で音声情報の所定区間分を出力してもよい。このような処理を、後述する受付部１０７によって一の周波数特性の選択を受け付けるまで、複数回繰り返してもよい。
【００１８】
また、制御部１０５は、抽出部１０３によって抽出された音声情報の所定区間分が記録部１０４に記録されている場合、設定部１０２によって設定された周波数特性と、設定部１０２によって設定される前の周波数特性とに変更して、記録部１０４に記録された音声情報の所定区間分を繰り返し出力する。
【００１９】
表示部１０６は、出力部１０１に出力中の音声情報の周波数特性に関する情報を表示する。表示部１０６は、ジャンルごとにプリセットされた周波数特性が設定されている場合、ジャンル名を表示してもよい。また、表示部１０６は、各周波数帯域ごとの出力レベルをグラフなどの形状で表示してもよい。
【００２０】
受付部１０７は、制御部１０５によって繰り返し出力された音声情報の所定区間分に対する異なる周波数特性のうち、一の周波数特性の選択を受け付ける。そして、受付部１０７によって一の周波数特性が受け付けられた場合、制御部１０５は、音声情報の周波数特性を、受け付けられた一の周波数特性に変更して、音声情報の所定区間より後を出力する。受付部１０７は、出力中の音声情報の所定区間分に対する周波数特性の選択を受け付けてもよいし、すでに出力が終わった音声情報の所定区間分に対する周波数特性の選択を受け付けてもよい。
【００２１】
（音声情報出力装置の音声情報出力処理手順）
つぎに、音声情報出力装置１００の音声情報出力処理手順について説明する。図２は、音声情報出力装置の音声情報出力処理手順を示すフローチャートである。図２のフローチャートにおいて、まず、出力部１０１から音声情報を出力するまで待機する（ステップＳ２０１：Ｎｏのループ）。
【００２２】
つぎに、ステップＳ２０１において出力部１０１から音声情報を出力している場合（ステップＳ２０１：Ｙｅｓ）、設定部１０２によって出力中の音声情報に対する周波数特性の変更の設定を受け付けるまで待機する（ステップＳ２０２：Ｎｏのループ）。ステップＳ２０２において出力中の音声情報に対する周波数特性の変更の設定を受け付けた場合（ステップＳ２０２：Ｙｅｓ）、抽出部１０３によって、ステップＳ２０２において設定を受け付けてからの、音声情報の所定区間分を抽出する（ステップＳ２０３）。
【００２３】
つぎに、制御部１０５によって、出力部１０１を制御して、ステップＳ２０２において設定を受け付けた周波数特性に変更して、音声情報の所定区間分を出力する（ステップＳ２０４）。このとき、出力中の音声情報の周波数特性に関する情報を表示する（ステップＳ２０５）。ステップＳ２０５においては、たとえばステップＳ２０２において設定を受け付けた周波数特性に関する情報を表示する。そして、受付部１０７によって一の周波数特性の選択を受け付けたか否かを判断する（ステップＳ２０６）。
【００２４】
ステップＳ２０６において一の周波数特性を受け付けていないと判断された場合（ステップＳ２０６：Ｎｏ）、ステップＳ２０４に戻り、ステップＳ２０２において設定を受け付ける前の周波数特性に変更して、音声情報の所定区間分を出力する。そして、ステップＳ２０５において、ステップＳ２０２において設定を受け付ける前の周波数特性に関する情報を表示して、ステップＳ２０６において、一の周波数特性の選択を受け付けたか否かを判断する。
【００２５】
ここで、さらに、ステップＳ２０６：Ｎｏにおいて一の周波数特性を受け付けていないと判断された場合、ステップＳ２０４に戻り、ステップＳ２０２において設定を受け付けた周波数特性に変更して、音声情報の所定区間分を出力し、以降の処理を繰り返しおこなう。このように、ステップＳ２０６において一の周波数特性の選択を受け付けるまで、周波数特性を変更して、音声情報の所定区間分を繰り返し出力する。
【００２６】
そして、ステップＳ２０６において一の周波数特性の選択を受け付けた場合（ステップＳ２０６：Ｙｅｓ）、ステップＳ２０６において受け付けられた一の周波数特性に変更して、音声情報の所定区間より後を出力して（ステップＳ２０７）、一連の処理を終了する。
【００２７】
なお、図２のフローチャートにおいては、ステップＳ２０２において、出力中の音声情報に対する複数種類の周波数特性の変更の設定を受け付けてもよい。この場合、ステップＳ２０６：Ｙｅｓにおいて一の周波数特性の選択を受け付けるまで、ステップＳ２０４においては、複数種類の周波数特性と、ステップＳ２０２において設定を受け付ける前の周波数特性と、に順次変更して、音声情報の所定区間分を出力する。
【００２８】
また、図２のフローチャートにおいては、ステップＳ２０３において音声情報の所定区間分を抽出した後に、記録部１０４に、抽出された音声情報の所定区間分を記録してもよい。そして、ステップＳ２０４においては、周波数特性を変更して、記録部１０４に記録された音声情報の所定区間分を出力してもよい。
【００２９】
上述したように、本実施の形態の音声情報出力装置１００によれば、制御部１０５によって、出力部１０１を制御して、設定部１０２によって設定された周波数特性と、設定部１０２によって設定される前の周波数特性とに変更して、抽出部１０３によって抽出された音声情報の所定区間分を繰り返し出力することができる。したがって、音声情報内の同一の区間を、周波数特性を変更して出力することができる。これによって、利用者は、異なる周波数特性を容易に比較することができ、自身に最適な周波数特性を選ぶことができる。
【００３０】
また、本実施の形態の音声情報出力装置１００によれば、出力部１０１に出力中の音声情報の周波数特性に関する情報を表示部１０６に表示することができる。これによって、利用者は、異なる周波数特性を比較する際に、出力中の音声情報に対する周波数特性を確認することができる。
【００３１】
また、本実施の形態の音声情報出力装置１００によれば、受付部１０７によって一の周波数特性が受け付けられた場合、制御部１０５によって、音声情報の周波数特性を、受け付けられた一の周波数特性に変更して、音声情報の所定区間より後を出力することができる。これによって、利用者は、比較した異なる周波数特性の中から好みの周波数特性を選択して、選択した周波数特性に変更して音声情報を聞くことができる。
【００３２】
また、本実施の形態の音声情報出力装置１００によれば、設定部１０２によって設定された周波数特性と、設定部１０２によって設定される前の周波数特性とに変更して、制御部１０５によって、記録部１０４に記録された音声情報の所定区間分を繰り返し出力することができる。したがって、ラジオ放送やテレビ放送、ストリーミング放送などの、同じ部分を繰り返し出力できないコンテンツの場合、所定区間を記録して、この記録された部分を繰り返し、周波数特性を変更して出力することができる。これによって、利用者は、ラジオ放送やテレビ放送などの、通常同一の区間を繰り返し出力できないコンテンツにおいても、同一の区間で異なる周波数特性を比較することができる。
【００３３】
また、本実施の形態の音声情報出力装置１００によれば、設定部１０２によって設定された複数種類の各周波数特性と、設定部１０２によって設定される前の周波数特性とに変更して、制御部１０５によって、音声情報の所定区間分を繰り返し出力することができる。したがって、音声情報の同一の区間を、変更前の周波数特性と、複数種類の周波数特性との、少なくとも３種類以上の周波数特性で出力することができる。これによって、利用者は、より自身に最適な周波数特性を選ぶことができる。
【実施例】
【００３４】
以下に、本発明の実施例について説明する。本実施例では、たとえば、車両（四輪車、二輪車を含む）などの移動体に搭載されるオーディオ装置によって、本発明の音声情報出力装置を実施した場合の一例について説明する。
【００３５】
（オーディオ装置のハードウェア構成）
つぎに、本実施例にかかるオーディオ装置３００のハードウェア構成について説明する。図３は、本実施例にかかるオーディオ装置のハードウェア構成を示すブロック図である。図３において、オーディオ装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、放送受信機３１４と、イコライザ３１５と、を備えている。各構成部３０１〜３１５は、バス３２０によってそれぞれ接続されている。
【００３６】
まず、ＣＰＵ３０１は、オーディオ装置３００の全体の制御を司る。ＲＯＭ３０２は、ブートプログラム、データ更新プログラム、所定区間ループプログラム、周波数特性比較プログラムなどのプログラムを記録している。また、ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、オーディオ装置３００の全体の制御を司る。
【００３７】
所定区間ループプログラムは、イコライザ３１５によって周波数特性の設定の変更を受け付けた場合、コンテンツの、周波数特性の設定の変更を受け付けてから所定区間分を抽出させて、この所定区間分を繰り返し再生させる。すなわち、所定区間の終了位置になったら巻き戻しをおこなわせて、所定区間の開始位置に戻って再生させる。そして、所定区間の終了位置になったら、再度巻き戻しをおこなわせて、所定区間の開始位置に戻って再生させる。これらの処理を繰り返しおこなわせる。
【００３８】
周波数特性比較プログラムは、所定区間ループプログラムによって繰り返し再生されているコンテンツの所定区間分が繰り返される度に、周波数特性を変更して再生させる。すなわち、周波数特性比較プログラムは、コンテンツ内の同一区間の音声情報を異なる周波数特性で順次再生させる。
【００３９】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００４０】
磁気ディスク３０５は、音声情報のみのコンテンツを含むＭＳＶ（ミュージックサーバ）や、音声情報と映像情報とが関連付けられたコンテンツを含むＶＳＶ（ビデオサーバ）などの機能を果たす。そして、各コンテンツに含まれる音声情報は、音声Ｉ／Ｆ３０８を介してスピーカ３０９から出力され、各コンテンツに含まれる映像情報は、映像Ｉ／Ｆ３１１を介してディスプレイ３１２から出力される。
【００４１】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。着脱可能な記録媒体として、光ディスク３０７のほか、ＭＯ、メモリカードなどであってもよい。
【００４２】
光ディスク３０７は、具体的にはＤＶＤやＣＤなどである。光ディスク３０７には、音声情報のみのコンテンツや音声情報と映像情報とが関連付けられたコンテンツなどが記録されている。
【００４３】
また、磁気ディスク３０５および光ディスク３０７には、後述する放送受信機３１４によって受信されるラジオ放送やテレビ放送、または通信Ｉ／Ｆ３１３によって受信されるストリーミング放送などの、同じ部分を繰り返し再生できないコンテンツの所定区間分が記録されてもよい。
【００４４】
なお、オーディオ装置３００は、図示を省略するが、フラッシュメモリを備えていてもよい。フラッシュメモリは、書き換え自在な不揮発性半導体メモリであり、ＣＰＵ３０１の制御にしたがってデータの読み取り／書き込みをおこなう。フラッシュメモリには、たとえば、ＮＡＮＤ型フラッシュメモリやＮＯＲ型フラッシュメモリなどを用いることができる。フラッシュメモリに記録される情報の一例としては、上述した映像情報や音声情報などが挙げられる。また、フラッシュメモリは、ＲＯＭ３０２としての機能を有していてもよい。すなわち、フラッシュメモリは、上述の各プログラムを記録していてもよい。
【００４５】
音声Ｉ／Ｆ３０８は、音声出力用のスピーカ３０９に接続される。スピーカ３０９からは、所定の音声信号を音声Ｉ／Ｆ３０８内でＤ／Ａ変換した音声が出力される。
【００４６】
入力デバイス３１０は、文字、数値、各種指示などの入力のための複数のキーを備えたリモコン、キーボード、タッチパネルなどが挙げられる。入力デバイス３１０は、リモコン、キーボード、タッチパネルのうちいずれか１つの形態によって実現されてもよいが、複数の形態によって実現することも可能である。入力デバイス３１０は、イコライザ３１５にプリセットされた、たとえば音楽のジャンルごとに最適な周波数特性の選択や、各周波数帯域ごとの出力レベルの調整を受け付ける形態でもよい。
【００４７】
映像Ｉ／Ｆ３１１は、ディスプレイ３１２に接続される。映像Ｉ／Ｆ３１１は、具体的には、たとえば、ディスプレイ３１２全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１２を制御する制御ＩＣなどによって構成される。
【００４８】
ディスプレイ３１２には、アイコン、カーソル、メニュー、ウインドウ、あるいは文字や画像などの各種データが表示される。ディスプレイ３１２には、再生中のコンテンツに対する周波数特性に関する情報や再生中のコンテンツに含まれる音声情報の各周波数帯域の出力レベルが表示されてもよい。また、ディスプレイ３１２には、タイトル、演奏者などのコンテンツに関する情報がともに表示されてもよい。
【００４９】
ディスプレイ３１２としては、たとえば、ＣＲＴ、ＴＦＴ液晶ディスプレイ、プラズマディスプレイなどを用いることができる。
【００５０】
通信Ｉ／Ｆ３１３は、無線を介してネットワークに接続され、オーディオ装置３００とＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。
【００５１】
放送受信機３１４は、テレビ放送波やラジオ放送波を受信する。放送受信機３１４は、放送局からのテレビ放送波やラジオ放送波を受信するアンテナ部、選局された番組のテレビ放送波やラジオ放送波をアンテナ部から受信し、デジタル信号に変換するチューナー部、チューナー部により変換されたデジタル信号を映像情報や音声情報に分離するデコード部などを備えている。
【００５２】
イコライザ３１５は、音声情報の周波数特性を変更する。すなわち、イコライザ３１５は、特定の音域の音声情報の出力レベルを強調したり、減少したりする。このため、イコライザ３１５によって、全体的に音質を平均化させたり、音像を明確にさせたりすることができる。また、イコライザ３１５によって、スピーカ３０９の周波数特性を補正することができる。なお、イコライザ３１５は、映像情報と音声情報とが関連付けられたコンテンツにおいては、音声情報のみ周波数特性を変更してもよい。
【００５３】
図１に示した音声情報出力装置１００が備える出力部１０１、設定部１０２、抽出部１０３、記録部１０４、制御部１０５、表示部１０６、受付部１０７は、図３に示したオーディオ装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、オーディオ装置３００における各部を制御することによってその機能を実現する。
【００５４】
すなわち、実施例のオーディオ装置３００は、オーディオ装置３００における記録媒体としてのＲＯＭ３０２に記録されている音声情報出力プログラムを実行することにより、図１に示した音声情報出力装置１００が備える機能を、図２に示した音声情報出力処理手順で実行することができる。
【００５５】
（オーディオ装置の処理の内容）
つぎに、オーディオ装置３００の処理の内容について説明する。図４は、オーディオ装置の処理の内容を示すフローチャートである。図４のフローチャートにおいて、まず、コンテンツが再生中になるまで待機する（ステップＳ４０１：Ｎｏのループ）。ステップＳ４０１においてコンテンツを再生中の場合（ステップＳ４０１：Ｙｅｓ）、イコライザ設定モードか否かを判断する（ステップＳ４０２）。ステップＳ４０２においてイコライザ設定モードではないと判断された場合（ステップＳ４０２：Ｎｏ）、ステップＳ４０１に戻り、以降の処理を繰り返しおこなう。
【００５６】
ステップＳ４０２においてイコライザ設定モードであると判断された場合（ステップ
Ｓ４０２：Ｙｅｓ）、周波数特性の切り替えを受け付けたか否かを判断する（ステップＳ４０３）。ステップＳ４０３において周波数特性の変更を受け付けていない場合（ステップＳ４０３：Ｎｏ）、ステップＳ４０１に戻り、以降の処理を繰り返しおこなう。
【００５７】
ステップＳ４０３において周波数特性の切り替えを受け付けた場合（ステップＳ４０３：Ｙｅｓ）、ステップＳ４０３において受け付けた周波数特性に切り替える前の周波数特性を記録する（ステップＳ４０４）。そして、周波数特性の切り替えを受け付けた時点から、ステップＳ４０１において再生中であると判断されたコンテンツの記録を開始する（ステップＳ４０５）。さらに、コンテンツを切り替えられた周波数特性で再生する（ステップＳ４０６）。
【００５８】
つぎに、周波数特性の比較処理を受け付けたか否かを判断する（ステップＳ４０７）。ステップＳ４０７において周波数特性の比較処理を受け付けた場合（ステップＳ４０７：Ｙｅｓ）、ステップＳ４０５において記録を開始してから所定時間が経過するまで待機する（ステップＳ４０８：Ｎｏのループ）。ステップＳ４０８において所定時間が経過した場合（ステップＳ４０８：Ｙｅｓ）、ステップＳ４０５において開始したコンテンツの記録を停止する（ステップＳ４０９）。
【００５９】
つぎに、コンテンツを記録開始位置まで巻き戻す（ステップＳ４１０）。そして、他の周波数特性またはステップＳ４０４において記録された切り替える前の周波数特性に、音声情報の周波数特性を変更して、記録されたコンテンツを再生する（ステップＳ４１１）。このとき、ステップＳ４１１において再生中のコンテンツに含まれる音声情報に対する周波数特性に関する情報を表示する（ステップＳ４１２）。そして、周波数特性の決定を受け付けたか否かを判断する（ステップＳ４１３）。
【００６０】
ステップＳ４１３において周波数特性の決定を受け付けていない場合（ステップＳ４１３：Ｎｏ）、コンテンツが記録録了位置になるまで待機する（ステップＳ４１４：Ｎｏのループ）。ステップＳ４１４において記録終了位置になった場合（ステップＳ４１４：Ｙｅｓ）、ステップＳ４１０に戻り、記録開始位置まで巻き戻し、他の周波数特性に音声情報の周波数特性を変更して、記録されたコンテンツを再生し、以降の処理を繰り返しおこなう。このように、ステップＳ４１３において周波数特性の決定を受け付けるまで、音声情報を異なる周波数特性に変更して、コンテンツを記録開始位置から記録終了位置まで再生する。
【００６１】
そして、ステップＳ４１３において周波数特性の決定を受け付けた場合（ステップＳ４１３：Ｙｅｓ）、記録されたコンテンツを破棄し、決定された周波数特性に音声情報を変更して、コンテンツの記録終了位置以降を再生して（ステップＳ４１５）、一連の処理を終了する。
【００６２】
一方、ステップＳ４０７において周波数特性の比較処理を受け付けていない場合（ステップＳ４０７）、コンテンツの記録を停止し、記録されたコンテンツを破棄して（ステップＳ４１６）、そのままステップＳ４０３において切り替えられた周波数特性でコンテンツを再生して、一連の処理を終了する。
【００６３】
なお、図４のフローチャートにおいては、コンテンツがラジオ放送やテレビ放送、ストリーミング再生などの、同じ部分を繰り返し再生できないコンテンツについて説明したが、これに限るものではない。具体的には、たとえばＣＤ、ＤＶＤ、ＨＤに記録され、同じ部分を繰り返し再生可能なコンテンツの場合、コンテンツを記録しなくてもよい。この場合、ステップＳ４０３において周波数特性の切り替えを受け付けた位置を開始位置とし、開始位置から所定時間後を終了位置として、この区間を音声情報の周波数特性を変更して繰り返し再生すればよい。
【００６４】
（周波数特性の比較処理）
つぎに、図５を用いて、周波数特性の比較処理について説明する。図５は、周波数特性の比較処理について示す説明図である。図５に示すように、たとえば開始位置がＡ点で終了位置がＤ点のコンテンツに含まれる音声情報の周波数特性をＥＱ１に設定して再生していることとする。
【００６５】
そして、図４のステップＳ４０３：Ｙｅｓにおいて、たとえばＢ点において周波数特性の切り替えを受け付けた場合、音声情報の周波数特性をＥＱ１からＥＱ２へ変更して、コンテンツの再生を続ける。さらに、図４のステップＳ４０７：Ｙｅｓにおいて、周波数特性の比較処理を受け付けた場合、Ｂ点から所定時間ｘ後のＣ点まで、音声情報の周波数特性をＥＱ２のままにしてコンテンツを再生する。
【００６６】
つぎに、図４のステップＳ４０８：Ｙｅｓにおいて、コンテンツの再生位置がＣ点になった場合、図４のステップＳ４１０に示すように、コンテンツをＢ点まで巻き戻す。そして、図４のステップＳ４１１に示すように、音声情報の周波数特性をＥＱ２からＥＱ３に変更して、コンテンツをＣ点まで再生する。
【００６７】
つぎに、図４のステップＳ４１４：Ｙｅｓにおいて、コンテンツの再生位置がＣ点になった場合、ステップＳ４１０に戻り、コンテンツをＢ点まで巻き戻す。そして、音声情報の周波数特性をＥＱ３からＥＱ１に変更して、コンテンツをＣ点まで再生する。
【００６８】
これらの処理を、図４のステップＳ４１３：Ｙｅｓにおいて、周波数特性が決定されるまで繰り返す。そして、たとえば周波数特性がＥＱ３に決定された場合、図４のステップＳ４１５に示すように、Ｃ点以降Ｄ点までの音声情報の周波数特性をＥＱ３に設定して、コンテンツの再生を続ける。
【００６９】
上述したように、本実施例のオーディオ装置３００によれば、イコライザ設定モードにおいて周波数特性を切り替えるときに、コンテンツに含まれる音声情報の同一の区間を用いて比較することができる。これによって、利用者は、周波数特性ごとの違いや効果がわかりやすく、自身に最適な周波数特性を選ぶことができる。
【００７０】
以上説明したように、本発明の音声情報出力装置、音声情報出力方法、音声情報出力プログラムおよび記録媒体によれば、音声情報の所定区間分を周波数特性を変更して出力することができる。
【００７１】
なお、本実施の形態で説明した音声情報出力方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００７２】
１００  音声情報出力装置
１０１  出力部
１０２  設定部
１０３  抽出部
１０４  記録部
１０５  制御部
１０６  表示部
１０７  受付部
【図１】
2011029791.tif 000003
【図２】
2011029791.tif 000004
【図３】
2011029791.tif 000005
【図４】
2011029791.tif 000006
【図５】
2011029791.tif 000007